(57)【要約】【課題】操作性が良く、注射器を安定性良く支持することのできる穿刺吸引器具を提供する。【解決手段】本発明は、病変組織から検体を採取するために注射器１１を装着して使用する穿刺吸引器具１０であって、注射器１０の中心軸に沿って形成される棒状の本体部１２と、本体部１２の先端部に設けられ、注射器１０のシリンダ１３の先端側部分を支持するシリンダ先端側支持部１４と、本体部１０の略中央部分に設けられ、シリンダ１３の基端部に形成されたフランジ部分１５を支持するフランジ支持部１６と、本体部１２の基端部に設けられる当接部１７とを備え、当接部１７を手の平に当てると共に注射器１１のブランジャ１８の基端部に形成されたフランジ部１９に指を掛けてブランジャ１８を基端方向に摺動可能なように構成されていることを特徴とする。【選択図】図１
2009291288.tif 000002
【特許請求の範囲】
【請求項１】
病変組織から検体を採取するために注射器を装着して使用する穿刺吸引器具であって、
前記注射器の中心軸に沿って形成される棒状の本体部と、
該本体部の先端部に設けられ、前記注射器のシリンダの先端側部分を支持するシリンダ先端側支持部と、
前記本体部の略中央部分に設けられ、前記シリンダの基端部に形成されたフランジ部分を支持するフランジ支持部と、
前記本体部の基端部に設けられる当接部と、
を備え、該当接部を手の平に当てると共に前記注射器のブランジャの基端部に形成されたフランジ部に指を掛けて前記ブランジャを基端方向に摺動可能なように構成されていることを特徴とする穿刺吸引器具。
【発明の詳細な説明】
【技術分野】
【０００１】
本発明は、病変組織から検体を採取するために注射器を装着して使用する穿刺吸引器具に関するものである。
【背景技術】
【０００２】
医療現場において、悪性腫瘍等の病変組織から検体を採取する場合に穿刺吸引器具が使用されることがある。この穿刺吸引器具は、注射器を装着して使用され、従来のこの種の穿刺吸引器としては、例えば、ピストル状に形成されたものが知られている（例えば、非特許文献１参照）。
【０００３】
図７に示すように、従来のこのピストル形状の穿刺吸引器具１は、注射器２のシリンダ３の基端側部分を支持するシリンダ基端側支持部４と、シリンダ３内を摺動するブランジャ５の基端部のフランジ部分６を支持するフランジ支持部７と、フランジ支持部７がブランジャ５と共に摺動可能なようにフランジ支持部７の両側に形成されるガイド部８と、把持部８とから構成されており、把持部９を把持してフランジ支持部７に指を掛け、フランジ支持部７をブランジャ５と共に摺動させることにより、シリンダ３内に検体が採取されるようになっている。
【非特許文献１】千葉大式穿刺細胞診用吸引ピストル                      （URL：http://home.att.ne.jp/surf/km/3qn941.htm）
【発明の開示】
【発明が解決しようとする課題】
【０００４】
しかしながら、上記した従来の穿刺吸引器具１では、フランジ支持部７がブランジャ５と共に摺動可能なようにフランジ支持部７の両側にガイド部８を形成する必要があるため、外形及び重量が大きくなっていた。そのため、操作にかなりの力を必要とし、特に、女性等の力の弱い者にとっては操作がし難いといった問題があった。
【０００５】
また、器具が大型なため、注射器２の針先の感触が術者の手に伝わり難く、開腹時・開胸時等の狭い部位での作業がし難いといった欠点もあった。
【０００６】
さらに、従来の穿刺吸引器具１は、注射器２を基端側部分のみで支持する構造を採用しているため、注射器２の安定性が悪く、検体の採取作業がし難いといった問題もあった。
【０００７】
本発明は、上記した課題を解決すべくなされたものであり、操作性が良く、注射器を安定性良く支持することのできる穿刺吸引器具を提供することを目的とするものである。
【課題を解決するための手段】
【０００８】
上記した目的を達成するため、本発明は、病変組織から検体を採取するために注射器を装着して使用する穿刺吸引器具であって、前記注射器の中心軸に沿って形成される棒状の本体部と、該本体部の先端部に設けられ、前記注射器のシリンダの先端側部分を支持するシリンダ先端側支持部と、前記本体部の略中央部分に設けられ、前記シリンダの基端部に形成されたフランジ部分を支持するフランジ支持部と、前記本体部の基端部に設けられる当接部とを備え、該当接部を手の平に当てると共に前記注射器のブランジャの基端部に形成されたフランジ部に指を掛けて前記ブランジャを基端方向に摺動可能なように構成されていることを特徴とする。
【発明の効果】
【０００９】
本発明によれば、棒状の本体部にシリンダ先端側支持部やフランジ支持部や当接部が取り付けられる単純な構造をしており、スリムで軽量なため、操作時に大きな力を必要としない。したがって、女性等の力の弱い者であっても簡単に操作することができるため、操作性の向上を図ることができる。
【００１０】
また、注射器をシリンダの先端側と基端側の両端部分で支持する構造をしているため、注射器を安定性良く支持することができる。
【００１１】
さらに、器具が小型であるため、注射針の先端が病変部に到達した感触が術者に伝わりやすく、開腹時・開胸時等の狭い部位での検体の採取作業を容易且つ確実に行うことができる。
【発明を実施するための最良の形態】
【００１２】
以下、図面を参照しつつ、本発明の実施の形態について説明する。ここで、図１は本発明の実施の形態に係る穿刺吸引器具を示す平面図、図２は同穿刺吸引器具を示す正面図、図３は同穿刺吸引器具を示す左側面図、図４は同穿刺吸引器具を示す右側面図、図５は同穿刺吸引器具を示す斜視図である。
【００１３】
本実施の形態に係る穿刺吸引器具１０は、注射器１１の中心軸に沿って形成される棒状の本体部１２と、本体部１２の先端部に設けられて注射器１１のシリンダ１３の先端側部分を支持するシリンダ先端側支持部１４と、本体部の略中央部分に設けられてシリンダ１３の基端部に形成されたフランジ部分１５を支持するフランジ支持部１６と、本体部１２の基端部にＴ字状を成すように設けられる丸棒状の当接部１７とを備えて構成されている。
【００１４】
本体部１２は、ステンレス鋼等の所望の剛性を有する棒状部材により構成されている。シリンダ先端側支持部１４は、半円筒形状のステンレス板等の弾性を有する部材により構成されており、シリンダ１３の外周面に密着してシリンダ１３を掴持するようになっている。また、フランジ支持部１６は、半円状に屈曲されたステンレス製のピン状部材１６ａ，１６ｂをシリンダ１３のフランジ部分１５の厚み分、離間して設けることにより形成されている。
【００１５】
次に、図６を参照しつつ、本実施の形態に係る穿刺吸引器具１０を使用して病変組織から検体を採取する方法について説明する。ここで、図６は本発明の実施の形態に係る穿刺吸引器具１０を操作している状態を示す斜視図である。
【００１６】
先ず、注射器１１のシリンダ１３の先端側外周面をシリンダ先端側支持部１４により掴持させると共に、シリンダ１３のフランジ部分１５をフランジ支持部１６のピン状部材１６ａ，１６ｂにより挟持させ、注射器１１を穿刺吸引器具１０に装着する。
【００１７】
次いで、当接部１７を手の平に当てると共に注射器１１のブランジャ１８の基端部に形成されたフランジ部１９に人差し指及び中指を掛け、注射器１１を装着した穿刺吸引器具１０を把持する。この状態で、注射器１１の針２０の先端を病変組織に穿刺し、フランジ部１９を基端方向に引いてブランジャ１８を摺動させ、病変組織からシリンダ１３内に検体を採取する。その後、シリンダ１３内の検体をガラス板（図示せず）上に押し出し、所定の検査を行う。
【００１８】
このように上記した実施の形態に係る穿刺吸引器具１０は、棒状の本体部１２にシリンダ先端側支持部１４やフランジ支持部１６や当接部１７が取り付けられる単純な構造をしており、スリムで軽量なため、操作時に大きな力を必要としない。したがって、女性等の力の弱い者であっても簡単に操作することができるため、操作性の向上を図ることができる。
【００１９】
また、上記した実施の形態に係る穿刺吸引器具１０は、注射器１１をシリンダ１３の先端側と基端側の両端部分で支持する構造をしているため、注射器１１を安定性良く支持することができ、検体の採取作業を容易且つ確実に行うことができる。
【００２０】
なお、上記した実施の形態において説明した穿刺吸引器具１０の各部位の形状や構造は単なる例示に過ぎず、例えば、シリンダ先端側支持部１４やフランジ支持部１６をゴムバンドで形成したり、或いは、当接部１７を球状に形成したりする等、各種変更が可能である。
【図面の簡単な説明】
【００２１】
【図１】本発明の実施の形態に係る穿刺吸引器具を示す平面図である。
【図２】本発明の実施の形態に係る穿刺吸引器具を示す正面図である。
【図３】本発明の実施の形態に係る穿刺吸引器具を示す左側面図である。
【図４】本発明の実施の形態に係る穿刺吸引器具を示す右側面図である。
【図５】本発明の実施の形態に係る穿刺吸引器具を示す斜視図である。
【図６】本発明の実施の形態に係る穿刺吸引器具を操作している状態を示す斜視図である。
【図７】従来例を示す平面図である。
【符号の説明】
【００２２】
１０          穿刺吸引器具
１１          注射器
１２          本体部
１３          シリンダ
１４          シリンダ先端側支持部
１５          フランジ部分
１６          フランジ支持部
１７          当接部
１８          ブランジャ
１９          フランジ部
【図１】
2009291288.tif 000003
【図２】
2009291288.tif 000004
【図３】
2009291288.tif 000005
【図４】
2009291288.tif 000006
【図５】
2009291288.tif 000007
【図６】
2009291288.tif 000008
【図７】
2009291288.tif 000009